(57)【要約】【課題】三脚取付け座を仮止めする際の作業性を改善する。【解決手段】カメラ機器は、カバー2と、カバー2の底板20に取り付けられる三脚取付け座3とを具えている。カバー2からは三脚取付け座3の上面に接するリブ片6が突出し、三脚取付け座3の上面からは、リブ片6に接する嵌合片4が突出している。三脚取付け座3は、カバー2の底面に載置されて嵌合片4がリブ片6から外れた第１の位置と、嵌合片4がリブ片6に接して、リブ片6とカバー2の底面に挟持される第２の位置との間を回動可能に設けられている。【選択図】図３
2007003648.tif 000002
【特許請求の範囲】
【請求項１】
カバー(２)と、該カバー(２)の底面に取り付けられる三脚取付け座(３)とを具え、
カバー(２)からは三脚取付け座(３)の上面に対向するリブ片(６)が突出し、三脚取付け座(３)の上面からは、リブ片(６)に接する嵌合片(４)が突出し、
三脚取付け座(３)は、カバー(２)の底面に載置されて嵌合片(４)がリブ片(６)から外れた第１の位置と、嵌合片(４)がリブ片(６)に接して、リブ片(６)とカバー(２)の底面に挟持される第２の位置との間を回動又は移動可能に設けられていることを特徴とするカメラ機器。
【請求項２】
三脚取付け座(３)の底面からはカバー(２)の底面に接する突面(33)が突出し、第２の位置にて三脚取付け座(３)の底面上であって突面(33)以外の箇所と、カバー(２)の底面との間には、光学部品を搭載したフレーム(５)が挿入可能な隙間が形成され、該フレーム(５)は隙間に挿入された状態で、ネジ(７)にて三脚取付け座(３)と共止めされる請求項１に記載のカメラ機器。
【請求項３】
リブ片(６)と嵌合片(４)の何れか一方からは、突起(60)が突出し、他方には、第２の位置にて突起(60)に嵌まる凹面(41)が形成されている請求項１又は２に記載のカメラ機器。
【請求項４】
三脚取付け座(３)の下面からは、カバー(２)の底面に嵌まる軸体(32)が突出し、フレーム(５)には軸体(32)に嵌まる切欠き(50)が開設され、フレーム(５)は第２の位置にある三脚取付け座(３)とカバー(２)の底面との間に挿入された状態で、切欠き(50)の端縁が突面(33)に接して、軸体(32)を中心とした三脚取付け座(３)の回動を規制する請求項２又は３に記載のカメラ機器。
【請求項５】
カバー(２)と、該カバー(２)の底面に取り付けられる三脚取付け座(３)とを具え、
カバー(２)からは三脚取付け座(３)の上面に対向するリブ片(６)が突出し、三脚取付け座(３)の上面からは、リブ片(６)に接する嵌合片(４)が突出しているカメラ機器に三脚取付け座を取り付ける方法であって、
三脚取付け座(３)は、カバー(２)の底面に載置して、嵌合片(４)がリブ片(６)から外れた第１の位置に設定する工程と、
三脚取付け座(３)を回動又は移動させて、嵌合片(４)がリブ片(６)に接し、三脚取付け座(３)がリブ片(６)とカバー(２)の底面に挟持される第２の位置に設定する工程を有する三脚取付け座の取付け方法。
【発明の詳細な説明】
【技術分野】
【０００１】
本発明は、三脚に取り付ける部分である三脚取付け座を設けたデジタルカメラ等のカメラ機器、及び三脚取付け座の取付け方法に関する。
【背景技術】
【０００２】
図１２は、従来のデジタルカメラの斜視図、図１３は、その底面図、図１４は、図１３をＡ−Ａ線を含む面で破断し、上下を逆にした断面図である(例えば、特許文献１参照)。  カメラ本体(１)は、前カバー(２)と後カバー(10)を突き合わせて構成され、カメラ本体(１)の底面にはネジ穴(34)を設けた三脚取付け座(３)が設けられている。三脚取付け座(３)は前カバー(２)と後カバー(10)の境目に配備されて、前カバー(２)と後カバー(10)は三脚取付け座(３)にネジ(７)(７)止めされている。
上記構成では、三脚取付け座(３)は前カバー(２)と後カバー(10)に跨って配備されているから、頑丈に取り付けられておらず、取付け強度に問題があった。また、前カバー(２)と後カバー(10)の境目が三脚取付け座(３)のネジ穴(34)の略中心を通るので、見映えが悪く、デザイン上の問題もある。
そこで、何れか一方のカバー(２)(10)上に三脚取付け座(３)を取り付けることが考えられる(例えば、特許文献２参照)。即ち、何れか一方のカバー(２)(10)上に三脚取付け座(３)を取り付けることにより、三脚取付け座(３)の取付け強度が向上する。
【０００３】
【特許文献１】特開平１１−２６１８５８号公報
【特許文献２】特開２００２−６３８１号公報
【発明の開示】
【発明が解決しようとする課題】
【０００４】
カバー(２)内には他の光学部品を搭載したフレーム(図示せず)も配備され、かかるフレームもカバー(２)内にネジにて固定される必要がある。出願人は部品点数の低減に鑑みて、フレームと三脚取付け座(３)をネジにて共止めすることを着想した。
しかし、この場合、フレーム又は三脚取付け座(３)の一方をカバー(２)に仮止めする必要がある。フレームは前記の如く、光学部品を搭載しており、重いから、三脚取付け座(３)を仮止めする方が合理的である。この場合、三脚取付け座(３)を両面テープ等で仮止めするのは、作業性が悪い。
本発明の目的は、三脚取付け座(３)を仮止めする際の作業性を改善することにある。
【課題を解決するための手段】
【０００５】
カメラ機器は、カバー(２)と、カバー(２)の底面に取り付けられる三脚取付け座(３)とを具え、
カバー(２)からは三脚取付け座(３)の上面に対向するリブ片(６)が突出し、三脚取付け座(３)の上面からは、リブ片(６)に接する嵌合片(４)が突出し、
三脚取付け座(３)は、カバー(２)の底面に載置されて嵌合片(４)がリブ片(６)から外れた第１の位置と、嵌合片(４)がリブ片(６)に接して、リブ片(６)とカバー(２)の底面に挟持される第２の位置との間を回動又は移動可能に設けられている。
【発明の効果】
【０００６】
カバー(２)の底面に三脚取付け座(３)を取り付ける際には、先ずカバー(２)の底面に三脚取付け座(３)を置き、嵌合片(４)がリブ片(６)から外れた第１の位置に設定する。次に、三脚取付け座(３)を第１の位置から回動又は移動させて、嵌合片(４)がリブ片(６)に接する第２の位置に設定する。三脚取付け座(３)は、リブ片(６)とカバー(２)の底面に挟持される、即ち仮止めされる。
このようにして、三脚取付け座(３)をテープ等を用いずに、簡単に仮止めすることができ、後のフレーム(５)と三脚取付け座(３)をネジで共止めする際の作業性が改善される。
【発明を実施するための最良の形態】
【０００７】
以下、本発明の一実施例を、図を用いて詳述する。
図１は、本例に係わるデジタルカメラを背面から見た斜視図であり、図２はその底面図である。カメラ本体(１)は、前カバー(２)と後カバー(10)を突き合わせて構成され、後カバー(10)には液晶パネル(11)やビューファインダ(12)が周知の如く、配備される。三脚取付け座(３)はダイカスト又は合成樹脂製であって、前カバー(２)にネジ(７)(７)によって取り付けられて、ネジ穴(34)が前カバー(２)の下面から露出している。
【０００８】
図３は、前カバー(２)及び三脚取付け座(３)の分解斜視図である。前カバー(２)はポリカーボネート等の合成樹脂から形成されて、縦壁(21)と底板(20)を具え、縦壁(21)に鏡筒が嵌まる丸孔(22)を開設している。三脚取付け座(３)は底板(20)に載置され、該底板(20)には三脚取付け座(３)が嵌まる中心孔(23)、及び前記のネジ(７)(７)が通るネジ貫通孔(24)(24)が開設されている。三脚取付け座(３)が底板(20)に載置された状態で、底板(20)と三脚取付け座(３)の底面との間には、隙間が形成され、該隙間に金属板を折曲して構成されるフレーム(５)が挿入される。
フレーム(５)にはカメラの光学部品、例えば前記ビューファインダ(図３では示さず)が搭載されており、三脚取付け座(３)に比して全体重量が重い。従って、フレーム(５)を先に仮止めすると作業性が悪いから、本例では、三脚取付け座(３)を前カバー(２)に仮止めしてから、フレーム(５)を前カバー(２)に取り付ける。フレーム(５)には前記ネジ(７)(７)が通るネジ透孔(54)(54)が開設されて、ネジ(７)(７)にて、三脚取付け座(３)と共止めされる。
図４は、図３の前カバー(２)の縦壁(21)の正面図である。縦壁(21)上にて丸孔(22)の周縁部下側には、三脚取付け座(３)に対向するリブ片(６)が突出し、該リブ片(６)と底板(20)とで三脚取付け座(３)を挟持する。該リブ片(６)下面からは、突起(60)が突出し、後記の如く、該突起(60)が三脚取付け座(３)に嵌合する。
【０００９】
図５(a)、(b)は、三脚取付け座(３)の斜視図であり、(a)は上から、(b)は下から夫々三脚取付け座(３)を見ている。三脚取付け座(３)は、座板であるフランジ(30)上に第１軸体(31)と、該第１軸体(31)の外側に位置する嵌合片(４)を具えて構成され、フランジ(30)にネジ(７)(７)が螺合するネジ孔(35)(35)が開設されている。嵌合片(４)は右端部にテーパ面(40)を、上面に凹面(41)を夫々形成し、凹面(41)は前記の突起(60)に係合する。
フランジ(30)下面からは、第１軸体(31)と同軸の第２軸体(32)と突面(33)が突出し、突面(33)は嵌合片(４)の反対側に位置する。第２軸体(32)の中央部に前記のネジ穴(34)が設けられる。フランジ(30)の隅部は、カット(37)されて、後記するフランジ(30)の回動を妨げない。
図３に示すフレーム(５)には、第２軸体(32)に嵌まる切欠き(50)が開設されている。切欠き(50)の端縁は、第２軸体(32)に沿う円弧部(53)と、該円弧部(53)の左端から前向きに延びた第１縁(51)と、該円弧部(53)の右端から側方に延びた第２縁(52)を具え、第１縁(51)と第２縁(52)は互いに略直交している。
【００１０】
(三脚取付け座の取り付け)
三脚取付け座(３)を底板(20)に取り付けるには、以下の手順で行う。図６は、三脚取付け座(３)の底板(20)への取付けを示す斜視図、図７(a)、(b)は、三脚取付け座(３)の底板(20)への取付けを示す平面図、図８は、図７(b)をＢ方向から見た一部断面図である。
図６に示すように、三脚取付け座(３)の第２軸体(32)を、底板(20)の中心孔(23)に嵌める。第１軸体(31)は、第２軸体(32)と同軸であるから、第１軸体(31)を中心孔(23)の上方に配備して三脚取付け座(３)を下降すれば、第２軸体(32)が中心孔(23)に嵌まる。このとき、図７(a)に示すように、三脚取付け座(３)の嵌合片(４)がリブ片(６)の左方に位置して、リブ片(６)から外れた第１の位置にある。
【００１１】
次に、第２軸体(32)を中心に、三脚取付け座(３)を時計方向に回転させる。嵌合片(４)はテーパ面(40)からリブ片(６)の下側に挿入され、テーパ面(40)がリブ片(６)の突起(60)を稍撓み変形させる。
図７(b)及び図８に示すように、リブ片(６)の突起(60)が凹面(41)に対向すると、リブ片(６)が撓み復帰して、突起(60)が凹面(41)に嵌まる。三脚取付け座(３)は、嵌合片(４)と突面(33)が、リブ片(６)と底板(20)に挟持される第２の位置に設定される。フランジ(30)のネジ孔(35)が、底板(20)のネジ貫通孔(24)(24)に重なる。出願人は、三脚取付け座(３)を第１の位置から第２の位置に至らせるのに、時計方向に約４５度回動させることを想定しているが、この角度に限定されない。
第２の位置にて、三脚取付け座(３)は、上下移動が規制されて、前カバー(２)に仮止めされる。突面(33)の高さ分だけ、フランジ(30)の底面と底板(20)の上面との間には、隙間Ｈが形成され、該隙間Ｈは、第２軸体(32)を挟んでリブ片(６)とは反対側に位置する。
【００１２】
次に、図８に示すように、該隙間Ｈにフレーム(５)を挿入する。三脚取付け座(３)のフランジ(30)のフレーム(５)挿入側端部には、面取り(36)が施され、フレーム(５)の挿入を容易にしている。
図９は、挿入されたフレーム(５)と三脚取付け座(３)の下面図である。三脚取付け座(３)は、突面(33)の側端縁が、切欠き(50)の第１縁(51)と第２縁(52)に接する。これによって、三脚取付け座(３)の第２軸体(32)を中心とする回動は規制される。フレーム(５)のネジ透孔(54)(54)は、フランジ(30)のネジ孔(35)、底板(20)のネジ貫通孔(24)(24)に重なる。尚、切欠き(50)の第１縁(51)と第２縁(52)の端部に面取り等を施して、切欠き(50)を第２軸体(32)に嵌まり易くしてもよい。
図１０に示すように、底板(20)の下方から、ネジ(７)(７)にて三脚取付け座(３)とフレーム(５)を共止めする。三脚取付け座(３)にはネジ(７)の上向き推進力が加わるが、三脚取付け座(３)はリブ片(６)によって上向き移動を規制されているから、三脚取付け座(３)は底板(20)から浮き上がらない。従って、容易にネジ(７)(７)止めができる。
【００１３】
本例の構成によって、三脚取付け座(３)を両面テープ等を用いずに、底板(20)に簡単に仮止めすることができる。これによって、フレーム(５)と三脚取付け座(３)をネジで共止めする際の作業性が改善される。
上記例では、三脚取付け座(３)を第１の位置から回動させて、第２の位置に設定するとした。しかし、図１１に示すように、底板(20)の中心孔(23)を横長に設け、三脚取付け座(３)を第１の位置から横向きにスライドさせて、第２の位置に設定してもよい。
また、上記例では、突起(60)をリブ片(６)に、凹面(41)を嵌合片(４)に夫々設けているが、突起(60)を嵌合片(４)に、凹面(41)をリブ片(６)に夫々設けてもよい。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１５】
【図１】本例に係わるデジタルカメラを背面から見た斜視図である。
【図２】図１のデジタルカメラの断面図である。
【図３】前カバー及び三脚取付け座の分解斜視図である。
【図４】図３の前カバーの縦壁の正面図である。
【図５】(a)、(b)は、三脚取付け座の斜視図であり、(a)は上から、(b)は下から夫々三脚取付け座を見ている。
【図６】三脚取付け座の底板への取付けを示す斜視図である。
【図７】(a)、(b)は、三脚取付け座の底板への取付けを示す平面図である。
【図８】図７(b)をＢ方向から見た一部断面図である。
【図９】挿入されたフレームと三脚取付け座の下面図である。
【図１０】フレームと三脚取付け座の共止めを示す一部断面図である。
【図１１】別の実施例に於ける三脚取付け座の底板への取付けを示す平面図である。
【図１２】従来のデジタルカメラの斜視図である。
【図１３】図１２のデジタルカメラの底面図である。
【図１４】図１３をＡ−Ａ線を含む面で破断し、上下を逆にした断面図である。
【符号の説明】
【００１６】
(１)  カメラ本体
(２)  前カバー
(３)  三脚取付け座
(４)  嵌合片
(５)  フレーム
(６)  リブ片
(33)  突面
(41)  凹面
(60)  突起
【図１】
2007003648.tif 000003
【図２】
2007003648.tif 000004
【図３】
2007003648.tif 000005
【図４】
2007003648.tif 000006
【図５】
2007003648.tif 000007
【図６】
2007003648.tif 000008
【図７】
2007003648.tif 000009
【図８】
2007003648.tif 000010
【図９】
2007003648.tif 000011
【図１０】
2007003648.tif 000012
【図１１】
2007003648.tif 000013
【図１２】
2007003648.tif 000014
【図１３】
2007003648.tif 000015
【図１４】
2007003648.tif 000016